(57)【要約】【課題】情報表示部が切れ味に悪影響を及ぼすことがなく、切断作業に起因する情報表示部の摩滅が生じ難い回転砥石を提供する。【解決手段】回転砥石１０は、円板状の基板１１の外周に砥粒層１２を有するものであり、回転砥石１０の表面に凹凸のない平面状の情報表示部１３，１４が設けられている。情報表示部１３，１４は、砥粒層１２を除く、基板１１の全面に亘って設けられている。  情報表示部１３，１４はインクジェットプリンタ（図示せず）で印刷することによって形成されている。情報表示部１３は文字情報であり、情報表示部１４は当該回転砥石１０の適用被削材であるコンクリートブロックを視認できる写真を表示している。情報表示部１３，１４は紫外線硬化インクで印刷されている。【選択図】図１
2015147281.tif 000002
【特許請求の範囲】
【請求項１】
円板状の基板の外周に砥粒層を有する回転砥石において、前記回転砥石の少なくとも一方の面に当該面より凸とならない情報表示部を設けたことを特徴とする回転砥石。
【請求項２】
前記情報表示部を、インクジェットプリンタで印刷することによって形成した請求項１記載の回転砥石。
【請求項３】
前記情報表示部に、当該回転砥石の適用被削材を表示した写真、絵柄若しくは図面の少なくとも一つを表示した請求項１または２記載の回転砥石。
【請求項４】
前記情報表示部を紫外線硬化インクで印刷した請求項１〜３のいずれか１項に記載の回転砥石。
【発明の詳細な説明】
【技術分野】
【０００１】
本発明は、石材、コンクリート、タイル、瓦、ブロック、耐火物などの切断に使用される回転砥石に関する。
【背景技術】
【０００２】
石材やコンクリートなどの切断に使用される回転砥石については、その切断対象物（適用被削材）の材質に応じて様々な種類が開発されているが、本発明に関連するものとして、例えば、特許文献１記載の「回転砥石」などがある。
【０００３】
図３に示すように、特許文献１などに記載された従来の回転砥石８０は、円板状の基板８１の外周に沿って砥粒層８２が設けられ、基板８１の表面若しくは裏面には、この回転砥石８０の適用被削材、回転数あるいは注意事項などを文字で表した情報表示部８３が設けられている。
【０００４】
図３に示す回転砥石８０における情報表示部８３は、図４に示すように、スプレーガンなどを用いて基板８１の表面に下地塗装８４を行った後、シルクスクリーン印刷法などを用いて下地塗装８４の表面に文字を印刷することによって形成されている。
【０００５】
一方、特許文献２には、手の平サイズの矩形板体の砥石の平面部に、砥粒粒度を文字、数字及び模様と共に表した砥粒粒度表示部が設けられた油砥石が記載されている。
【先行技術文献】
【特許文献】
【０００６】
【特許文献１】特開２００７−２３７３４９号公報
【特許文献２】登録実用新案第３１１５０９２号公報
【発明の概要】
【発明が解決しようとする課題】
【０００７】
図３に示す従来の回転砥石８０などにおいては、その商品としての外観性を高めるために下地塗装８４は必須要件となっているので、情報表示部８３は、基板８１の表面に下地塗装８４を行った後、その表面に文字を印刷することによって形成されている。このため、回転砥石８０の製造工程においては、その完成までに多大な労力と時間を要している。また、情報表示部８３が下地塗装８４の表面に塗り重ねられた結果、図４に示すように、情報表示部８３は下地塗装８４の表面から突出した状態となっているため、切断作業中、回転抵抗が生じ、切れ味に悪影響を及ぼしている。
【０００８】
さらに、下地塗装８４の表面から突出した情報表示部８３は切断作業中の切断対象物との摩擦によって摩滅し易いので、長期間使用するうちに、情報表示部８３が消失して回転砥石８０に関する情報（適用被削材や回転数など）が判読不能となり、適用被削材が分からなくなって切断作業に支障を来たすこともある。
【０００９】
一方、特許文献２記載の砥石は手作業で包丁やナイフなどを研削する際に使用するものであるため、砥粒粒度表示部が摩滅消失する可能性は低いが、この技術を回転砥石に利用しても、前述した問題を解決することはできない。
【００１０】
本発明が解決しようとする課題は、情報表示部が切れ味に悪影響を及ぼすことがなく、切断作業に起因する情報表示部の摩滅が生じ難い回転砥石を提供することにある。
【課題を解決するための手段】
【００１１】
本発明の回転砥石は、円板状の基板の外周に砥粒層を有する回転砥石において、前記回転砥石の少なくとも一方の面に当該面より凸とならない情報表示部を設けたことを特徴とする。
【００１２】
このような構成とすれば、情報表示部は周囲の面と同一平面をなし、情報表示部の突出もなくなり、当該回転砥石において情報表示部が設けられている面は、砥粒層及びその近傍を除き、同一平面となるので、情報表示部が切れ味に悪影響を及ぼすことがなくなる。また、切断作業中に情報表示部が優先して摩滅するのを抑制することができるので、切断作業に起因する情報表示部の消失も生じ難い。
【００１３】
ここで、前記情報表示部を、インクジェットプリンタで印刷することによって形成することが望ましい。ここで、インクジェットプリンタとは、インクを微滴化して被印刷物に対し直接に吹き付ける方式を用いた印刷機である。
【００１４】
このような構成とすれば、情報表示部を一工程で形成することができるので、製造工程の簡略化を図ることができる。また、多色印刷及び文字と絵柄などとの同時印刷も可能となるので、情報内容の多様化、詳細化を図ることができる。
【００１５】
また、前記情報表示部に、当該回転砥石の適用被削材を表示した写真、絵柄若しくは図面の少なくとも一つを表示することができる。ここで、前記「適用被削材を表示」とは、適用被削材の材質が何であるかを、当業者（若しくは作業者）の視覚をもって直感的に認識できるように、当該適用被削材の一部または全体を、そのまま表示すること（若しくは写実的に表示すること）をいう。
【００１６】
このような構成とすれば、当業者（若しくは作業者）が回転砥石の情報表示部を見ることにより、当該回転砥石の適用被削材の現物を見たときと同様の感覚で、当業者の視覚により直ちに当該回転砥石の適用被削材を認識することができるので、利便性が向上する。また、適用被削材をそのまま表示した写真、若しくは写実的に表示した絵柄若しくは図面であれば、文字を理解できない外国人作業者でも容易に把握することができるので、輸出用の外国語表示をする必要がなくなるだけでなく、作業者の識字率が低い国においても、作業者は適用被削材を的確に把握することができる。
【００１７】
さらに、前記情報表示部を紫外線硬化インクで印刷することが望ましい。
【００１８】
このような構成とすれば、情報表示部の形成時間を短縮することができ、有機溶剤も不要となる。
【発明の効果】
【００１９】
本発明により、情報表示部が切れ味に悪影響を及ぼすことがなく、切断作業に起因する情報表示部の摩滅が生じ難い回転砥石を提供することができる。
【図面の簡単な説明】
【００２０】
【図１】本発明の実施形態である回転砥石を示す平面図である。
【図２】図１中のＡ−Ａ線における一部省略断面図である
【図３】従来の回転砥石を示す表面図である。
【図４】図３中のＢ−Ｂ線における一部省略断面図である。
【発明を実施するための形態】
【００２１】
以下、図面に基づいて本発明の実施形態について説明する。図１に示すように、本実施形態の回転砥石１０は、円板状の基板１１の外周に砥粒層１２を有するものであり、回転砥石１０の表面に凹凸のない平面状の情報表示部１３，１４が設けられている。情報表示部１３，１４は、砥粒層１２を除く、基板１１の全面に亘って設けられている。
【００２２】
情報表示部１３，１４はインクジェットプリンタ（図示せず）で印刷することによって形成されている。インクジェットプリンタ（図示せず）は限定しないが、例えば、フラットベッド・ムービングヘッド方式のインクジェットプリンタなどを好適に使用することができる。なお、基板１１の表面に情報表示部１３，１４を直接印刷することもできるが、これに限定しないので、スプレーやインクジェットプリンタなどで基板１１の表面にプライマを塗布した後、インクジェットプリンタで情報表示部１３，１４を印刷することもできる。
【００２３】
情報表示部１３は文字情報であり、情報表示部１４は当該回転砥石１０の適用被削材であるコンクリートブロックを視認できる写真を表示している。情報表示部１３，１４は紫外線硬化インクで印刷されている。
【００２４】
回転砥石１０においては、情報表示部１３，１４が基板１１の表面全体に設けられ、その表面は凹凸のない同一平面をなし、情報表示部１３，１４は突出もしていないので、情報表示部１３，１４が切れ味に悪影響を及ぼすことがない。また、切断作業中に情報表示部１３，１４が優先して摩滅しないので、切断作業に起因する情報表示部１３，１４の消失も生じ難い。なお、情報表示部１３，１４は基板１１の表面だけでなく、表面及び裏面の両面に設けることもできる。
【００２５】
情報表示部１３，１４をインクジェットプリンタ（図示せず）で印刷することにより、情報表示部１３，１４を一工程で形成することができるので、製造工程の簡略化を図ることができる。また、多色印刷及び文字と絵柄などとの同時印刷も可能となるので、情報内容の多様化、詳細化を図ることができる。
【００２６】
また、情報表示部１４が、当該回転砥石１０の適用被削材を視認できる写真であることにより、当該回転砥石１０の適用被削材を視覚により即時に認識することができるので、利便性が向上する。また、写真であれば、言語の異なる外国人でも容易に適用被削材を理解することができるので、輸出用の外国語表示をする必要がなくなるだけでなく、識字率の低い国においても作業者は適用被削材を的確に把握することができる。
【００２７】
また、情報表示部１４として適用被削材の写真を基板１１の表面全体に印刷したことにより、砥粒層１２付近の情報表示部１４が摩滅しても、残存している情報表示部１４の一部（例えば、中心の取付孔１５の周りの情報表示部１４など）を見れば、適用被削材を即時に認識することができる。なお、情報表示部１４は写真に限定しないので、適用被削材を視認できる絵柄、図面、イラストなどであってもよい。
【００２８】
さらに、回転砥石１０においては、情報表示部１３，１４を紫外線硬化インクで印刷することによって形成されているので、情報表示部１３，１４の形成時間を短縮（半減）することができ、有機溶剤も不要である。
【００２９】
なお、図１，図２に基づいて説明した回転砥石１０は本発明の一例を示すものであり、本発明の回転砥石は前述した回転砥石１０に限定されない。
【産業上の利用可能性】
【００３０】
本発明の回転砥石は、石材、コンクリート、タイル、瓦、ブロック、耐火物などの切断作業を行う産業分野において広く利用することができる。
【符号の説明】
【００３１】
１０  回転砥石
１１  基板
１２  砥粒層
１３，１４  情報表示部
１５  取付孔
【図１】
2015147281.tif 000003
【図２】
2015147281.tif 000004
【図３】
2015147281.tif 000005
【図４】
2015147281.tif 000006